(57)【要約】【課題】  チャフシーブを上下二段に構成した穀粒選別装置において、層状選別と風選別のバランスを保ち、良好な選別性能を発揮させる。【解決手段】  チャフシーブ７、８を備える揺動選別体２１と、該揺動選別体２１の前側で選別風を起風する圧風ファン１２とが設けられると共に、チャフシーブ７、８を複数のフィン７ａ、７ｂ、８ａ、８ｂで構成し、フィン間の隙間から穀粒を漏下させる穀粒選別装置１であって、前記チャフシーブ７、８を上下二段に構成すると共に、各チャフシーブ７、８の後部に、選別風を上方へ案内する導風体７ｃ、８ｃを設け、さらに、上段チャフシーブ７の導風体７ｃを、下段チャフシーブ８の導風体８ｃよりも前方に配置する。【選択図】        図３
2006050994.tif 000002
【特許請求の範囲】
【請求項１】
チャフシーブを備える揺動選別体と、該揺動選別体の前側で選別風を起風する圧風ファンとが設けられると共に、前記チャフシーブを複数のフィンで構成し、フィン間の隙間から穀粒を漏下させる穀粒選別装置において、
前記チャフシーブを上下二段に構成すると共に、上段及び下段チャフシーブの後部に、選別風を上方へ案内する導風体を設け、さらに、上段チャフシーブの導風体を、下段チャフシーブの導風体よりも前方に配置したことを特徴とする穀粒選別装置。
【請求項２】
前記チャフシーブは、フィン角度が可変な可動フィンと、フィン角度が固定された固定フィンとを備え、前記導風体は、上段及び下段チャフシーブの固定フィンに設けられることを特徴とする請求項１記載の穀粒選別装置。
【請求項３】
前記下段チャフシーブの導風体は、一番流板に沿って配置されることを特徴とする請求項１又は２記載の穀粒選別装置。
【請求項４】
前記上段チャフシーブの導風体は、排塵風路天板の先端部に向けて配置されることを特徴とする請求項１〜３のいずれかに記載の穀粒選別装置。
【発明の詳細な説明】
【技術分野】
【０００１】
本発明は、コンバインやハーベスタに設けられる穀粒選別装置に関する。
【背景技術】
【０００２】
穀粒を揺動選別する揺動選別体と、該揺動選別体の前側で選別風を起風する圧風ファンとを備えた穀粒選別装置が知られている。通常、揺動選別体は、複数のフィンからなるチャフシーブを備えており、該チャフシーブ上に移送された穀粒は、揺動選別体の揺動に伴って層状選別（比重選別）されると共に、フィン間を吹き抜ける選別風によって風選別される。
【０００３】
また、チャフシーブを上下二段に構成した穀粒選別装置も知られている（例えば、特許文献１参照。）。このように構成された穀粒選別装置によれば、チャフシーブによる層状選別を二段階で行うことができるため、選別精度や選別効率を向上させることが可能になる。
【特許文献１】特開平６−１６９６３３号公報
【発明の開示】
【発明が解決しようとする課題】
【０００４】
しかしながら、特許文献１のように、チャフシーブを上下二段に構成すると、選別風の吹き上げが悪くなるため、層状選別と風選別のバランスが崩れ、却って選別精度が低下する惧れがある。尚、チャフシーブのフィン開度制御にもとづいて、層状選別と風選別のバランスを調整する方法もあるが、この場合には、調整に時間がかかるという問題があった。
【課題を解決するための手段】
【０００５】
本発明は、上記の如き実情に鑑みこれらの課題を解決することを目的として創作されたものであって、チャフシーブを備える揺動選別体と、該揺動選別体の前側で選別風を起風する圧風ファンとが設けられると共に、前記チャフシーブを複数のフィンで構成し、フィン間の隙間から穀粒を漏下させる穀粒選別装置において、前記チャフシーブを上下二段に構成すると共に、上段及び下段チャフシーブの後部に、選別風を上方へ案内する導風体を設け、さらに、上段チャフシーブの導風体を、下段チャフシーブの導風体よりも前方に配置したことを特徴とする。このようにすれば、チャフシーブを上下二段に構成したものでありながら、各チャフシーブにおける選別風の吹き上げを促すことができ、しかも、上段チャフシーブの導風体を、下段チャフシーブの導風体よりも前方に配置することにより、選別風を広範囲で効率良く吹き上げさせることができる。これにより、チャフシーブを上下二段に構成しても、層状選別と風選別のバランスを保ち、良好な選別性能を発揮することができる。
また、前記チャフシーブは、フィン角度が可変な可動フィンと、フィン角度が固定された固定フィンとを備え、前記導風体は、上段及び下段チャフシーブの固定フィンに設けられることを特徴とする。このようにすれば、可動フィンによるフィン開度調整を行いつつ、導風体によって一定方向に選別風を吹き上げ、安定した風選別を行うことができる。
また、前記下段チャフシーブの導風体は、一番流板に沿って配置されることを特徴とする。このようにすれば、一番流板上までチャフシーブを配置して、一番口に対する切れ藁などの落下を防止しながらも、一番流板付近の強い選別風を導風体で導き、排塵天板付近まで吹き上げさせることができる。これにより、選別風の吹き上げ高さ不足による三番飛散の増加を防止することができる。
また、前記上段チャフシーブの導風体は、排塵風路天板の先端部に向けて配置されることを特徴とする。このようにすれば、選別風を、四番口に吹き抜けさせることなく、排塵口に導くことができる。これにより、排塵ファンの効率を上げ、排塵ファンの静粛性を高めることができる。
【発明を実施するための最良の形態】
【０００６】
次に、本発明の実施形態について、図面に基づいて説明する。図面において、１は穀粒選別装置であって、該穀粒選別装置１は、茎稈を扱室２に沿って挟持搬送する脱穀フィードチェン３と、搬送茎稈から被選別物（混合物を含む穀粒）を脱穀する扱胴４と、脱穀された被選別物を漏下する受網５と、受網５から漏下した被選別物を順次揺動搬送する揺動流板６と、該揺動流板６の終端部で被選別物を層状選別（比重選別）するチャフシーブ７、８と、該チャフシーブ７、８から漏下した被選別物を篩選別するグレインシーブ９と、前記グレインシーブ９から漏下した穀粒を一番ラセン１０に導く前低後高状の一番流板１１と、該一番流板１１の前方で選別風を起風する圧風ファン１２と、前記チャフシーブ７、８の後方に配置されるストロラック１３と、該ストロラック１３から漏下した被選別物を二番ラセン１４に導く前低後高状の二番流板１５と、前記二番ラセン１４の前方で選別風を起風する二番選別ファン１６と、選別室の終端部に構成される排塵室１７と、該排塵室１７内に設けられる排塵ファン１８と、脱穀処理済みの排藁を、四番口１９を介して機外に排出搬送する排藁チェン２０とを備えて構成されている。
【０００７】
揺動流板６、チャフシーブ７、８、グレインシーブ９、一番流板１１、ストロラック１３及び二番流板１５は、揺動選別体２１に設けられている。揺動選別体２１は、選別室に揺動自在に支持されており、クランク機構又はカム機構からなる揺動機構２２によって所定の周期で連続的に往復揺動される。
【０００８】
チャフシーブ７、８は、所定の間隔を存して上下二段に構成されている。すなわち、揺動流板６から後方に移送された穀粒は、上段チャフシーブ７で層状選別を受けた後、下段チャフシーブ８上に落下し、ここで第二の層状選別を受けてからグレインシーブ９上に落下する。これにより、チャフシーブ７、８による層状選別を二段階で行い、選別精度や選別効率を向上させることが可能になる。尚、本実施形態では、下段チャフシーブ８から漏下した穀粒を更にグレインシーブ９で篩選別しているが、グレインシーブ９は省略してもよい。
【０００９】
各チャフシーブ７、８は、前後方向に所定間隔を存して並列する複数の可動フィン７ａ、８ａ及び複数の固定フィン７ｂ、８ｂを備えて構成されている。可動フィン７ａ、８ａは、フィン角度が調整可能であって、このフィン角度調整に応じてフィン間の隙間調整（開度調整）が行われる。例えば、揺動流板６やチャフシーブ７、８上における被選別物の量に応じて、フィン開度が自動制御される。一方、固定フィン７ｂ、８ｂは、各チャフシーブ７、８の後端部に設けられており、フィン角度が固定されている。
【００１０】
つぎに、穀粒選別装置１における選別風の流れについて、図２を参照して説明する。図２に示すように、圧風ファン１２が起風した選別風は、上段チャフシーブ７と下段チャフシーブ８との隙間、下段チャフシーブ８とグレインシーブ９との隙間、更に、グレインシーブ９と一番ラセン１０との隙間に吹き込まれる。これらの選別風は、そのまま隙間を通り抜けるか、或いは、チャフシーブ７、８、グレインシーブ９から吹き上がり、排塵室１７に到達する。また、二番選別ファン１６が起風した二番選別風は、ストロラック１３から吹き上がり、排塵室１７に到達する。このとき、層状選別と風選別のバランスを考慮すると、各チャフシーブ７、８においては、ある程度の吹き上げ風（フィン間を通過する選別風）が発生することが好ましいが、チャフシーブ７、８を上下二段に構成した場合、選別風の吹き上げが悪くなる可能性がある。
【００１１】
本発明の穀粒選別装置１では、各チャフシーブ７、８の後部に、選別風を上方へ案内する導風体７ｃ、８ｃが設けられ、さらに、上段チャフシーブ７の導風体７ｃは、下段チャフシーブ８の導風体８ｃよりも前方に配置される。このように構成すると、チャフシーブ７、８を上下二段に構成しても、各チャフシーブ７、８における選別風の吹き上がりが促進され、また、上段チャフシーブ７の導風体７ｃを、下段チャフシーブ８の導風体８ｃよりも前方に配置することにより、選別風を広範囲で効率良く吹き上げさせることが可能になる。その結果、チャフシーブ７、８を上下二段に構成した穀粒選別装置１において、層状選別と風選別のバランスを保ち、良好な選別性能を発揮することができる。
【００１２】
導風体７ｃ、８ｃは、可動フィン７ａ、８ａや固定フィン７ｂ、８ｂと同等の板材を用いて構成することができる。例えば、板状の導風体７ｃ、８ｃを可動フィン７ａ、８ａや固定フィン７ｂ、８ｂと並列に配置すると共に、導風体７ｃ、８ｃが可動フィン７ａ、８ａや固定フィン７ｂ、８ｂよりも下方に突出するようにすれば、チャフシーブ７、８の下方に流れる選別風をフィン間に導くことが可能になる。
【００１３】
本実施形態では、板材で導風体７ｃ、８ｃを構成するにあたり、この導風体７ｃ、８ｃをチャフシーブ７、８の固定フィン７ｂ、８ｂに設けている。このように構成すると、可動フィン７ａ、８ａによるフィン開度調整を行いつつ、導風体７ｃ、８ｃによって一定方向に選別風を吹き上げ、安定した風選別を行うことができる。尚、本実施形態では、導風体７ｃ、８ｃと固定フィン７ｂ、８ｂを別体で構成しているが、一部材で一体的に構成するようにしてもよい。
【００１４】
また、下段チャフシーブ８の導風体８ｃは、一番流板１１の終端部に沿って配置されることが好ましい。このようにすれば、一番流板１１上までチャフシーブ８を配置して、一番ラセン１０に対する切れ藁などの落下を防止しながらも、一番流板１１付近の強い選別風を導風体８ｃで導き、排塵室１７の天板２３付近まで吹き上げさせることができる。これにより、選別風の吹き上げ高さ不足による三番飛散の増加を防止することができる。
【００１５】
また、上段チャフシーブ７の導風体７ｃは、排塵室１７における天板２３の前端部に向けて配置することが好ましい。このようにすれば、選別風を、四番口１９に吹き抜けさせることなく、排塵室１７に導くことができる。これにより、排塵ファン１８の効率を上げ、排塵ファン１８の静粛性を高めることができる。
【００１６】
また、本実施形態では、二番流板１５の終端部に、排塵室１７に沿って立ち上がる折曲部１５ａを形成すると共に、この折曲部１５ａとストロラック１３の後端との間に間隙を確保している。つまり、この折曲部１５ａは、二番選別風を受けて二番流板１５上を駆け上がる穀粒を失速させつつ、前方へ跳ね返すように作用する。これにより、二番選別風を受けて二番流板１５上を駆け上がった穀粒が、圧風ファン１２の選別風を受けて三番飛散となる不都合が回避される。
【００１７】
叙述の如く構成された本実施形態のものは、チャフシーブ７、８を備える揺動選別体２１と、該揺動選別体２１の前側で選別風を起風する圧風ファン１２とが設けられると共に、チャフシーブ７、８を複数のフィン７ａ、７ｂ、８ａ、８ｂで構成し、フィン間の隙間から穀粒を漏下させる穀粒選別装置１であって、前記チャフシーブ７、８を上下二段に構成すると共に、各チャフシーブ７、８の後部に、選別風を上方へ案内する導風体７ｃ、８ｃを設けたので、各チャフシーブ７、８における選別風の吹き上げを促すことができる。
【００１８】
しかも、上段チャフシーブ７の導風体７ｃを、下段チャフシーブ８の導風体８ｃよりも前方に配置することにより、選別風を広範囲で効率良く吹き上げさせることができる。これにより、チャフシーブ７、８を上下二段に構成しても、層状選別と風選別のバランスを保ち、良好な選別性能を発揮することができる。
【００１９】
また、チャフシーブ７、８は、フィン角度が可変な可動フィン７ａ、８ａと、フィン角度が固定された固定フィン７ｂ、８ｃとを備え、導風体７ｃ、８ｃは、各チャフシーブ７、８の固定フィン７ｂ、８ｂに設けられるので、可動フィン７ａ、８ａによるフィン開度調整を行いつつ、角度が固定された導風体７ｃ、８ｃによって一定方向に選別風を吹き上げ、安定した風選別を行うことができる。
【００２０】
また、下段チャフシーブ８の導風体８ｃは、一番流板１１に沿って配置されるため、一番流板１１上までチャフシーブ８を配置して、一番口に対する切れ藁などの落下を防止しながらも、一番流板１１付近の強い選別風を導風体８ｃで導き、排塵室１７の天板２３付近まで吹き上げさせることができる。これにより、選別風の吹き上げ高さ不足による三番飛散の増加を防止することができる。
【００２１】
また、上段チャフシーブ７の導風体７ｃは、排塵室１７における天板２３の先端部に向けて配置されるので、選別風を、四番口１９に吹き抜けさせることなく、排塵室１７に導くことができる。これにより、排塵ファン１８の効率を上げ、排塵ファン１８の静粛性を高めることができる。
【図面の簡単な説明】
【００２２】
【図１】穀粒選別装置の内部側面図である。
【図２】選別風の流れを図示した穀粒選別装置の内部側面図である。
【図３】穀粒選別装置の要部側面図である。
【符号の説明】
【００２３】
１    穀粒選別装置
７    上段チャフシーブ
７ａ  可動フィン
７ｂ  固定フィン
７ｃ  導風体
８    下段チャフシーブ
８ａ  可動フィン
８ｂ  固定フィン
８ｃ  導風体
１１  一番流板
１２  圧風ファン
１７  排塵室
１８  排塵ファン
１９  四番口
２１  揺動選別体
２３  天板
【図１】
2006050994.tif 000003
【図２】
2006050994.tif 000004
【図３】
2006050994.tif 000005